(57)【要約】本発明の迅速脱着可能な密閉容器支持装置は、堅い支持体へ取り付けられる取付ブラケットと、取付ブラケットとかみ合って脱着可能に取り付けられる堅い密閉容器固定フレームと、取付ブラケットに固定フレームをかみ合わせて脱着可能に取り付けるために、取付ブラケットと固定フレームとの間で協働する少なくとも一つのラッチとを備える。ラッチを取付ブラケット或いは固定フレームへ取り付けることができる。ラッチの取付ブラケットから固定フレームを解除する動作を選択可能にする手動操作可能な解除作動装置は、ラッチと協働する。固定フレームは、ガス密閉容器を実質的に完全に収納できる開口を有する堅い穴部を区画し、密閉容器がその縦軸に対して回転することを制止するための少なくとも一つの選択的に脱着可能な密閉容器回転制止手段を具備する。密閉容器が穴部から滑脱することを制止するための少なくとも１つの選択的に取り外しできる密閉容器滑脱拘束手段も提供される。
2004523701.tif 000002
【特許請求の範囲】
【請求項１】
堅い支持体へ取り付けられる取付ブラケットと、
前記取付ブラケットとかみ合って脱着可能に取り付けられる堅い密閉容器固定フレームと、
前記取付ブラケットに前記固定フレームをかみ合わせて脱着可能に取り付けるために、前記取付ブラケットと前記固定フレームとの間で協働する少なくとも一つのラッチと、
前記少なくとも１つのラッチと協働して、前記少なくとも１つのラッチの前記取付ブラケットから前記固定フレームを解除する動作を選択可能にする手動操作可能な解除作動装置とを備え、
前記固定フレームは、ガス密閉容器を実質的に完全に収納できる開口を有する堅い穴部を区画し、密閉容器がその縦軸に対して回転することを制止するための少なくとも一つの選択的に脱着可能な密閉容器回転制止手段を具備しており、前記固定フレームが前記取付ブラケットに取り付けられているときに、通常前記取付ブラケットの反対側にある前記固定フレームの一部分は、密閉容器が前記穴部に取り付けられ、且つ前記固定フレームが前記取付ブラケットから取り外されている時に、前記固定フレームがユーザに運ばれるための運搬ハンドルを提供し、密閉容器に取り付けられたガスフロー調節器を保護するために、前記穴部の前記開口に対応する前記固定フレームの先端において固定フレームに取り付けられ、前記開口の上に延びる堅いガードを更に備えることを特徴とする迅速脱着できる密閉容器支持装置。
【請求項２】
前記少なくとも１つのラッチは前記取付ブラケットに取り付けられたラッチを含むことを特徴とする請求項１に記載の装置。
【請求項３】
前記ラッチは単一の上部ラッチであり、前記ブラケットから延びる支持アームの上方に実質的に垂直に配置され、前記支持アームは前記フレームの下端部に脱着可能にかみ合い支持するために使われ、前記フレームの上端部がラッチに脱着可能にかみ合うために使われることを特徴とする請求項２に記載の装置。
【請求項４】
前記フレームは、第１と第２の開口に対応する平行に離間して取り付けられた第１と第２のカラーを備え、前記開口は前記カラーによって区画され、前記カラーに枢支されるように取り付けられる時に密閉容器の縦軸に沿って同軸とされていることを特徴とする請求項１に記載の装置。
【請求項５】
堅く平行な第１と第２のクロス部材がそれぞれ第１と第２のカラーに取り付けられ、
前記少なくとも１つのラッチは、前記取付ブラケットにその第１端部で取り付けられるラッチを含み、前記取付ブラケットは、第１端の反対側の第２端部においてホックされた支持アームを具備し、前記第１と第２のクロス部材は前記ラッチと前記支持アームとをそれぞれ脱着可能にかみ合わせることを特徴とする請求項４に記載の装置。
【請求項６】
前記ラッチは単一の上部ラッチで、前記ブラケットから延びる支持アームの上方に実質的に垂直に配置され、前記支持アームは前記フレームの下端部を脱着可能にかみ合い支持するために使われ、前記フレームの上端部はラッチを脱着可能にかみ合うために使われることを特徴とする請求項５に記載の装置。
【請求項７】
前記少なくとも１つのラッチが片持ちされるところから突出するように前記取付ブラケットに取付られ、
前記堅いフレームと脱着可能にラッチして結合するために、堅い支持が開口された壁である場合、前記少なくとも１つのラッチが対応する壁にある開口を貫通して、反対側の壁の正面から突出するように、前記取付ブラケットが堅い支持の背面に取り付けられることを特徴とする請求項１に記載の装置。
【請求項８】
片持ちされる支持アームを更に備えたことを特徴とする請求項７に記載の装置。
【請求項９】
前記穴部から抜け出すために、密閉容器の滑脱を制止するための少なくとも１つの選択的に解除できる密閉容器滑脱拘束手段を備えた請求項１に記載の装置。
【請求項１０】
堅い支持が壁である場合、この堅い支持に取り付けるために用いられる角のある壁マウントを備え、
前記固定フレームが前記取付ブラケットへ取り付けられる時に、前記固定フレームを壁に向けて壁に沿って傾けるように、壁に対して傾いた前記壁マウントの表面に沿って、前記取付ブラケットが前記壁取付に取り付けられること特徴とする請求項１に記載の装置。
【請求項１１】
前記固定フレームを前記取付ブラケットとの取付から制御下に解除するための安全なバックアップを提供するために、前記少なくとも１つのラッチと協働する弾性圧縮可能な補助ラッチを備えることを特徴とする請求項１に記載の装置。
【請求項１２】
前記固定フレームを前記取付ブラケットとの取付から制御下に解除するための安全なバックアップを提供するために、前記少なくとも１つのラッチと協働する弾性圧縮可能な支持ラッチを備えることを特徴とする請求項６に記載の装置。
【発明の詳細な説明】
【０００１】
発明の分野
この発明は、シリンダ型の酸素密閉容器を、素早く配備し、使用できるように、脱着可能に取り付けるための装置に関する。
【０００２】
発明の背景
車両の中に酸素缶或いは消火器のようなシリンダ型ガス密閉容器を邪魔にならないように、且つ、素早く配備し使用できるように取付けることが望ましい多数の例が存在するが、その内の一つは緊急車両である。他の例として、医療用の救急室、或いは医療用と医療用以外の固定／移動型の施設も挙げることができる。
【０００３】
緊急車両の場合、空気、酸素、或いは消火材料などの加圧ガス状の物質を収容する密閉容器を運送することがしばしば要求される。通常、このような密閉容器は一方の端部にエンドフィティングとして弁、圧力調節器類の壊れやすいものを有する。この種類の密閉容器は、一般的にシリンダ状であり、支持なしで立つ状態では比較的転倒しやすい特徴がある。このような密閉容器が緊急車両で運送される時に、密閉容器を車内に固定し、且つ密閉容器を素早く取り外して使用できるような適切な拘束手段が必要とされる。また、目的地で緊急車両の作業者が運び易く、安定して配備できることも望ましい。
【０００４】
先行技術として、本件特許出願人は、緊急車両内に取り付けられるフレームを開示する米国特許第５，３５４，０２９号を認知している。このフレームは、レバーで操作できる２組の離間した「クラムシェル」のようなクランプを有し、通常車内の中で座る消防士が着装する背負式のエアタンクにかみ合うように設計されている。しかしながら、この装置の中にシリンダを配置しにくい。また、この装置は緊急車両の作業車がシリンダを目的地へ容易に運ぶ手段と、目的地の地面に安定して配備する手段をどちらとも提供できない。
【０００５】
救急車のような緊急車両では、担架の上に寝ている患者の両足の間に酸素ビンを置くケースもあるのが現状である。救急車を巻き込んだ交通事故が起きた場合、この酸素ビンが当然飛び出すことになる。そこで、交通事故による救急車への衝撃力に耐え得るように酸素ビンを取り付けることが有効である。例えば、ビンに加わる重力の２５倍の衝撃力に耐え得るように、救急車の中にクレードル或いはブラケットを取り付ける。従って、本発明は、挿入の容易性、交通事故の衝撃力に耐え得る自動ロック及び、片手操作で迅速に取り外しできる機構とを実現するシリンダ型密閉容器を脱着可能に取り付けるラッチング手段を提供することを目的とする。更に、これに限らず、本発明は、密閉容器に容易に固定され、迅速な取り外し機構と密閉容器との迅速な結合を容易にし、密閉容器の運搬と支持の両方が可能な装置を提供できるような固定アセンブリを提供する。本明細書において、密閉容器とはタンク、ビン、シリンダ或いは加圧されたガスコンテナー類を含めたものである。
【０００６】
発明の概要
本発明における迅速に取り外し可能な支持装置の迅速な取り外しは、ブラケットとラッチとの両方を含む。ラッチはスピンドルの中間で取付られたラッチ爪を有するため、ブラケットのラッチ受けアームに回転可能となるように取り付けられる。ラッチ爪を開位置に回転するための手動操作可能なレバーアームが提供される。アームに取り付けられたボタンを押す、或いはアームに取り付けられたハンドルを引く、或いはレバーアームを回転するため或いはラッチ爪を操作するための他の付勢装置によって、このレバーアームを操作することができる。ブラケットとラッチ機構の上にカバーが取り付けられている。支持アームとラッチ受けアームがカバーの離間した開口から突出することができる。
【０００７】
密閉容器の固定フレームは、ガス密閉容器を収納するための上部環状カラー或いはクランプと下部環状カラー或いはクランプを有する。固定フレームが取り付けられた場合、縦の管状ハンドルを支持するために、各カラーは、例えばラッチの反対側に凸部を有する。カラーから延びるアームは、凸部の反対側に配置され、一対のフォーク或いはヨークを形成する。各フォーク或いはヨークの間でピンが一つ取り付けられている。カラーが密閉容器を締め付けるために用いられる一つの実施形態において、各ヨークにあるピンがヨークの一つのアームに固定され、もう一つのアームで回転できるように枢支されている。オーバセンター（ｏｖｅｒ−ｃｅｎｔｅｒ）カムレバーがピンの外端部に取り付けられている。ヨークのアームはカムレバーの締める動作により密閉容器を囲むカラーを引き締めさせることができる。密閉容器をよく支持できるように、又、対応する上部のピンと下部のピンを、ブラケットの両反対側の端部に形成されるラッチ受けアームと支持アームにかみ合わせる或いは結合させるように、上部と下部の環状カラーは密閉容器に沿って離間されている。
【０００８】
ここで調整器ガードと総称する横ハンドルと調節器ガードフレームの組み合わせは酸素ガス密閉容器固定フレームの上端部に取り付けられている。ガードは堅いフレームで、調整器を保護すると共に、固定フレームに入っている密閉容器の端部の把持と操作を容易にすることができる。実施形態として、ガードフレームは管状材料で、密閉容器の環状円形輪郭を囲むような矩形或いはカーブ状のものである。
【０００９】
密閉容器固定フレームの端面が堅い表面に接触するように置かれたときに、自動的に展開する支持脚は、例えば密閉容器の固定フレームの上部カラーと下部カラーとの間で回転できるように取り付けられている。固定フレームを堅い表面に置くと、連鎖アームは上向きになる。連鎖アームが固定フレームに対して上向きに転換されると、支持脚は固定フレームの外方へ向けて回転されるように、連鎖アームを支持脚に回転できるように取り付けている。
【００１０】
まめとして、本発明の迅速に取り外しできる支持装置は、堅い支持体へ取り付けられる取付ブラケットと、取付ブラケットとかみ合って脱着可能に取り付けられる堅い密閉容器固定フレームと、取付ブラケットに固定フレームをかみ合わせて脱着可能に取り付けるために、取付ブラケットと固定フレームとの間で協働するラッチとを備える。ラッチを取付ブラケット或いは固定フレームへ取り付けることができる。ラッチの取付ブラケットから固定フレームを解除する動作を選択可能にする手動操作可能な解除作動装置は、ラッチと協働する。固定フレームは、ガス密閉容器を実質的に完全に収納できる開口を有する堅い穴部を区画し、密閉容器がその縦軸に対して回転することを制止するための少なくとも一つの選択的に脱着可能な密閉容器回転制止手段を具備する。密閉容器が穴部から滑脱することを制止するための少なくとも１つの選択的に取り外しできる密閉容器滑脱拘束手段が提供される。
【００１１】
固定フレームが取付ブラケットに取り付けられているときに、通常取付ブラケットの反対側にある固定フレームの一部分は、密閉容器が穴部に取り付けられ、且つ固定フレームが取付ブラケットから取り外されている時に、固定フレームがユーザに運ばれるための運搬ハンドルを提供する。密閉容器に取り付けられたガスフロー調節器を保護するために、堅いガードは穴部の開口に対応する固定フレームの先端において固定フレームに取り付けられ、穴部の開口の上に延びるようになっている。
【００１２】
一つの実施形態において、ラッチは単一の上部ラッチであり、ブラケットから延びる支持アームの上方に実質的に垂直に配置され、取付ブラケットに取り付けられている。その支持アームはフレームの下端部に脱着可能にかみ合い支持するために使われ、フレームの上端部がラッチに脱着可能にかみ合うために使われる。
【００１３】
フレームは、固定フレームに取り付けられ、或いはその一部分として形成される第１と第２のカラーを含む。対応する第１と第２の開口は、平行に離間して取り付けられた第１と第２のカラーによって区画され、カラーに枢支されるように取り付けられる時に密閉容器の縦軸に沿って同軸とされている。堅く平行な第１と第２のクロス部材がそれぞれ第１と第２のカラーに取り付けられている。第１と第２のクロス部材は、ラッチと支持アームとそれぞれ取り外しできるように結合するために用いられる。
【００１４】
ラッチが片持ちされるところから突出するように取付ブラケットに取付られている。従って、取付ブラケットが壁或いは取付プレートのような堅い支持の背面に取り付けられ、ラッチを対応する壁にある開口を貫通して反対側の壁の正面から突出するように、堅い支持が開口され、壁の正面は堅いフレームと脱着可能にラッチして結合するために用いられる。
【００１５】
取付プレートは、壁に取り付けるために角のある壁取付であるべく。固定フレームが取付ブラケットへ取り付けられる時に、固定フレームを壁に向けて壁に沿って傾けるように、壁に対して傾いた壁マウントの表面に沿って、取付ブラケットが壁取付に取り付けられている。
【００１６】
固定フレームを取付ブラケットとの取付から制御下に解除するための安全なバックアップを提供するために、ラッチと協働する弾性圧縮可能な支持ラッチは提供される。
【００１７】
発明の実施形態の詳細な説明
図１〜図４に示すように、各図で同じ参照符合が対応する部分を意味する図を参照すれば、一つの実施形態において、例えば緊急車両のような内面１４に取り付けるための、取付ブラケット１２（図４により良く示す）が、密閉容器支持体１０の脱着可能な取付を実現する。取付ブラケット１２は、第１端部１６で形成される或いは取り付けられる細長い本体１２ａと、方持ち支持アーム１２ｂを有する。方持ちラッチ受けアーム１２ｃは、本体１２ａの反対側の第２端部１８に形成され、或いは取り付けられる。本体１２ａが面１４に取り付けられる時に、取付表面１４から略直角に延びるように、アーム１２ｂとアーム１２ｃとが細長い本体１２ａに対して片持ち支持される。或いは、アーム１２ｂとアーム１２ｃとを別々な部品として面１４に独立に取付るようにすることもできる。この場合、各アームには独自の取付ブラケット、プレート或いは他の付属手段（取付ブラケットと総称する）が必要である。
【００１８】
ラッチ機構２０はラッチ爪２２を有し、そのラッチ爪２２は例えばスピンドル２４の中間で堅固に取り付けられる。爪２２がラッチ受けアーム１２ｃの穴部或いは凹部内で回転可能となるように、スピンドル２４は本体１２ａに回転可能となるように取り付けられる。スピンドル２４は、ラッチ爪２２を閉位置に回転させるバネ２８の戻り方向の付勢力に抗して回転可能である。図４ａと図４ｂによく示すように、前記閉位置で爪フランジ２２ａがアーム１２ｃの穴部或いは凹部１２ｄ内に押し下げられる。爪２２が自由に回転できるように、スピンドル２４はラッチ爪２２から離れた端部２４ａにおいて、エンドブロック２６内に回転可能となるように支持される。解除レバー３０がスピンドル２４に（例えば端部２４ａに隣接して）堅固に取り付けられる。解除ボタン３２のような解除アクチュエータが、エンドブロック２６によって堅固に摺動可能に回転支持されるシャフト３２ａに取り付けられる。シャフト３２ａは解除レバーアーム３０に回転可能に取り付けられる。解除ボタンをＡ方向に押し、解除レバーアーム３０が回転すると、螺旋状の付勢バネ２８の戻り方向の付勢力に抗して、シャフトとラッチがＢ方向に回転し、ラッチ爪２２を開位置に回転する。前記開位置において、爪フランジ２２ａがアーム１２ｃの穴部１２ｄから引き上げられる或いは別な方法で引き出される。
【００１９】
弾性チューブ１２ｅはアーム１２ｃの下部フォークの間のピン１２ｆに取り付けられる。図４ａによく示すように、固定フレーム４０上のピン５６ａが、爪フランジ２２ａの後側にあるアーム１２ｃの凹部１２ｄ内に適合するように着座している。爪フランジ２２ａが上昇してラッチを解除すると、ピン５６ａがアーム１２ｃから引き出され、ピン５６ａはチューブ１２ｅを軽く押圧して凹部１２ｄから外方へ出ることになる。従って、チューブ１２ｅは安全装置を提供することになる。もし爪フランジ２２ａが引き上がるように、ラッチ爪２２を不注意に動作させても、ピン５６ａが凹部１２ｄの中から外へ落ちて、そして装置１０がその壁取付部のようなところから落ちることはない。ユーザは必ずピン５６ａをしっかり引っ張って、ピン５６ａの直径よりも小さい凹部１２ｄ内での締め付けを通さなければならない。この締め付けは、弾性チューブ１２ｅとアーム１２ｃの上部フォークの下縁との間で形成される。
【００２０】
表面プレート３６ａと周辺リップ３６ｂとを有するカバー３６が、取付ブラケット１２とラッチング機構２０に対向して取り付けられる。周辺リップ３６ｂは、例えば本体１２ａに近い厚さで表面プレート３６ａを面１４から離間させる。アーム１２ｂと１２ｃは表面プレート３６ａの開口３８を通って延びる。従って、表面プレート３６ａは、取付ブラケット１２とエンドブロック２６に近接的に配置され、且つネジ或いはその同類のようなもので取り付けられる。
【００２１】
密閉容器固定フレーム４０に関して、上部環状クランプ４２と下部環状クランプ４４とが、管状ハンドル４６と一対の縦スペーシング管４８によって、密閉容器或いはシリンダ６０の長手方向に沿って間隔を隔して平行に支持されている。環状クランプ４２と４４は、それぞれ管状ハンドル４６の端部に取り付けられ、ハンドルをクランプの環状クランプ表面から径方向に外方へ離間させ、ハンドルを密閉容器に対して平行に配置させる放射状凸部５０を有する。スプリット５２は、各クランプにおいて、凸部５０の反対側に形成される。ヨーク５４はアーム５４ａと５４ｂとを有し、それらはスプリット５２の両側部において、クランプから外方へ延びる。ピン５６がその第１端部でアーム５４ｂにで堅固に取り付けられ、反対側の第２端部で反対側のアーム５４ａに貫通し、摺動可能に回転支持される。オーバセンタ（ｏｖｅｒ−ｃｅｎｔｅｒ）カムレバー５８がピン５６の第２端部に取り付けられる。そして、アームレバー５８を回転することによって、アーム５４ａと５４ｂとがお互いに引き寄せられて、アーム５４ａに対してレバーのカムがかみ合う。アーム５４ａと５４ｂとをお互いに引き寄せることによって、クランプの環状クランプ表面がガスシリンダ６０の周囲を堅固に締めつける。
【００２２】
ピン５６をラッチ受けアーム１２ｃと支持アーム１２ｂに同時に或いは順次に取り付けるために十分なスペースを確保するべく、ハンドル４６と中空のスペーシング管４８或いは他のスペーサーによって上部の環状クランプ４２と下部の環状クランプ４４とがそれぞれ離間されている。
【００２３】
最下部のピン５６ｂが先ず下部支持アーム１２ｂに形成される受け溝６２に置かれる。そして、上部ピン５６ａがラッチ爪２２の爪フランジ２２ａの後部傾斜主面にかみ合うまで、密閉容器固定フレーム４０が下部ピン５６ｂ上で方向Ｃへ回転する。更に、密閉容器固定フレーム４０の回転によりピン５６ａが爪フランジ２２ａの下方に押圧されて、螺旋状の付勢バネ２８の戻り方向の付勢力に抗してラッチ爪２２を方向Ｂへ向けてその開位置に回転させる。図４ａに示すように、上部ピン５６ａが穴部１２ｄに沿って爪フランジ２２ａを通り摺動すると、爪２２の穴部１２ｄと位置が合い、これにかみ合う。これによって、ラッチ爪２２がその閉位置に回転する。即ち、ラッチ爪２２が方向Ｂの反対方向へ、付勢バネ２８の付勢力下、その閉位置へ回転する。これによって、固定フレームと関連する密閉容器とはブラケットに対して堅固にラッチされる。
【００２４】
ガスフロー調節器のガード６４は中空管で形成され、中空スペーシング管４８の端部に取り付けられる。任意の弁、調節器、計器或いは通常密閉容器に取り付けられる類似のものを保護するように、ハンドルとガードフレーム６４が周囲へ延びている。
【００２５】
脚部６６は脚部支持プレート６８に接する中空スペーシング管４８に支持されている。支持プレート６８は最上部の環状クランプ４２の近くに配置され、中空スペーシング管４８に対して摺動可能に取り付けられている。管状ハンドル４６の反対側にある密閉容器固定フレーム４０から外方へ揺動できるように、支持脚６６は支持プレート６８にヒンジされている。中空スペーシング管４８ａに接する下部環状クランプ４４の近くに配置される案内プレート７０は、案内スロット７０ａを有し、アクチュエーションプランジャー７２がそこを貫通している。アクチュエーションプランジャー７２は通常「Ｖ」字形状とされ、ドライブロッド７２ａが取り付けられている。ロッド７２ａは支持脚６６に回転可能に取り付けられている。密閉容器固定フレーム４０のベースが地面のような固い表面に置かれたとき、アクチュエーションプランジャー７２は固い表面に接触し、上部環状クランプ４２へ向かう方向に案内プレート７０の案内スロート７０ａを通じて部分的に押される。これによって、ロッド７２ａは脚部６６を押圧し、その結果、支持脚６６は密閉容器固定フレーム４０から外方へ回転して、通常直立の安定した三脚位置でフレーム４０を支持することになる。
【００２６】
中空スペーシング管４８に接する上部環状クランプ４２に向かう方向へ支持脚６６を元の位置に戻すことによって、支持脚６６の自動展開が解除される。このような支持プレート６８の位置変動によって、アクチュエーションプランジャー７２は上昇し、密閉容器固定フレーム４０が置かれる表面に接触することを回避する。
【００２７】
爪２２とのかみ合いから上部ピン５２ａを解除するための装置は、限定されるものではなく、他のいくつかの実施形態を図５、図５ａ、図５ｂ、と図１３〜図１９に示す。例えば図５において、解除レバー７６が、カバープレート３６の外方に延びるようにスピンドル２４の端部に取り付けられる。解除レバー７６の方向Ｃへの回転が、相応にスピンドル２４と爪２２を方向Ｂへ回して、爪フランジ２２ａの後面の穴部２２ｂとのかみ合いからピン５６ａを解除する。他の実施形態については、以下に説明する。
【００２８】
図６〜図１０に示すように、密閉容器固定フレームと、シリンダ６０上の調節器のようなものを保護するガスフロー調整器ガード６４（それに限らず）とが、前述した説明及び図１から変更されている。従って、図示のように、図１〜図３の矩形のガスフロー調整器ガード６４が、図６〜図１０の実施形態においては、単弓形ループのガスフロー調節器ガード６４’に変更されている。ガード６４’は最初にハンドル４６に平行に延び、調整器６０ａを越えるように、ハンドル４６の上端部から凸部５０の上方へ延び、調節器とその関連部品の上方及び周囲と、タンク、シリンダ或いは密閉容器６０の断面輪郭の周りを上から囲むように下方に曲がり、カラー４２’の一方の端部に取り付けられる。カラー４２’はシリンダ６０の調節器の端部を環状にぴったり囲むように取り付けられている。シリンダ６０の下端部或いは反対側の端部がカラー４４’の中にぴったりに取り付けられている。カラー４４’は凸部５０’において、ガスフロー調節器ガード６４’に対向するハンドル４６の端部を支えている。
【００２９】
本実施形態において、カラー４２’と４４’は、カラーの中にシリンダ６０をぴったり取り付けることによって、ハンドルとガスフロー調節器ガードに対するシリンダ６０の回転防止に役立っている。しかしながら、例えば、ＤとＥサイズのスチール或いはアルミニウムタンク間のような直径非均一のシリンダ６０があることを考えると、例示した装置１００のような補助回転制止装置が必要である。図示のように、このような装置の一つは、摩擦パッド１０２を依存している。摩擦パッド１０２は、カラー４４’と交差する凸部５０’のベースに固く取付けられ、そこから上向きに片持ちされる棒或いはシャフト１０４によって加えられる曲げモーメントにより、シリンダ６０の側面に対して弾力的に押し付けされる。図示した実施形態において、シャフト１０４は凸部５０’のベースの孔で枢支され、カラー４４’に平行に且つその下に取り付けられるベースプレート１０６に接触するように延び、堅く取り付けられている。シリンダ６０の側面にかみ合わされたときに、摩擦バッド１０２の厚さにより、シャフト１０４はわずかに歪む或いは曲がり、摩擦パッド１０２はシリンダ６０の側面に対して、縦軸Ｄ周りのシリンダ６０の回転を阻止するのに十分な両表面間の摩擦力に相当する力を与える。これによって、例えば、ガスフロー調節器６４’によって与えられた保護域の下で保護された調節器６０ａの方向を維持することができる。ハンドル１０８は摩擦パッド１０２、或いは例えば、シャフト１０４の端部に取り付けられて、操作員がハンドル１０８を引くことによってハンドル１０８と摩擦パッド１０２とをハンドル４６へ向けて動かし、シリンダに対する摩擦パッドの摩擦的な係合を解除する。これによって、必要に応じてシリンダを交換する或いは再配置することができる。市場においてはシリンダの直径には様々のものがあるため、カラーを密閉容器にぴったり合うようにするために、図１０に示すスペーシングスリーブ１０９がカラーと密閉容器との間に提供される。このスリーブはカラーが蜜閉容器にぴったり合うように充分の厚さを有する。
【００３０】
カラーを堅固に支持するように、一対のスペーシング管４８’がカラー４２’と４４’の間に、平行に離間した状態で堅く取り付けられる。このようにして、カラーはハンドル４６と管４８’によって、互いに離間した状態で支持されている。ハンドル４６と管４８’の長さは、例えばＤとＥサイズのように異なる長さのシリンダを収納できるようにされている。又、例えばニューヨークのＥｘｉｍ Ｇｏｌｆ ｏｆ Ｎｅｗ Ｙｏｒｋによって製造されているような市販のゴルフバッグの三脚の脚部を短くして変更した自動展開バイ・ポッド脚部アセンブリを使うことができる。従って、前述のように、カラー４２’に対して調節され、且つ例えばボルト１１２で脱着可能に取り付けられたアセンブリによって、カラー４２’の後ろにあるボルト孔（図示せず）列の中の一列をかみ合わせ、ベースプレート１０６を地面に置くことにより、結合ロッド構造７２’はベースプレートに対して上方に動き、固定フレームの三脚の脚部６６’を固定フレームの外方に向けて図２に示すような展開位置に展開する。例えばボルト１１２による脱着可能な取付を使うことによって、バイ・ポッドアセンブリ１１０をカラー４２’の後ろに沿って更に高く取り付け直すことができ、これによりベースプレート１０６が地面に置かれた時に、ロッド７２’の底部が地面と接触しないようにすることができる。この方法では脚部６６’の展開は不可能である。
【００３１】
脱着可能な摺動抑制アーム１１４をカラー４２’の上端部に取り付けてもよい。シリンダ６０がカラー４２’と４４’に枢支された取付部から取り出し可能な開位置と、カラー４２’と４４’に対するその縦軸に沿うシリンダ６０の移動を制止するように、曲がったアームの端部がシリンダ６０の端部の上に回転される閉位置との間で回転可能となるように、アーム１１４は支柱１１８の間のピン１１６上で回転可能とされている。アーム１１４は閉位置に脱着可能にロックされることが可能で、例えば、支柱１１８と１１８’の間にバネ付勢ピン或いはボルト１２０を配置することによって、シリンダを固定し、カラー内の長手方向の摺動を防止する。これにより、孔１１４ａからピン１２０を枢支することによってピン１１６に対するラッチアーム１１４のピボット回転を制止して、支柱１１８’の対応する孔１１８ａによって脱着可能な係合の中へロックする。
【００３２】
タンク弁レンチ１２４に把持位置と便利な収納を提供するべく、タンク弁レンチホルダー１２２をガスフロー調節器ガード６４’の片側に取り付けてもよい。
【００３３】
前述したように、上部ピン５６ａ’と下部ピン５６ｂ’はそれぞれカラー４２’と４４’にある支持ヨーク５４’の中に取り付けられる。ヨークは横置きになった時にフレーム４０を支持するためのゴムフィー５５を有する。前述したように、ピン５６ｂ’は、図示のようにかぎ付きのフランジの平行な対である支持アーム１２ｂに結合し、ピン５６ａ’はフランジの平行な対である取付ブラケット１２のラッチ受けアーム１２ｃに結合して、固定フレーム４０と密閉容器６０を脱着可能に取り付けて、便利な収納、運送及び使用を提供する。
【００３４】
図４，図５及び図５ａに示す取付ブラケットの更なる実施形態（それに限られるものではない）において、図５ｂに示す取付ブラケット１２が、角のある支持ブラケット１２８の正面支持フレーム１２８ａと裏プレート１２８ｂとによって、区画されたくさび形の穴部にあるプレート１２６の後ろに取り付けられる。従って、図１１と図１２に示すように、取付ブラケット１２が角のある支持ブラケット１２８の中に取り付けられたときに、図６〜図１０を参照して説明したような固定フレーム４０と密閉容器６０とが、取付ブラケット１２に取り付けられ、密閉容器と固定フレームとの組み合わせが、内面１４に向けてこれに沿って角を成す、或いは傾斜する。従って、固定フレーム４０と密閉容器６０が、例えば緊急車両の後部内の作業域の中へ押しやられることが少なく、又、例えば緊急車両の開きドアから密閉容器を取り出すことが容易になる。固定フレーム４０を取付ブラケット１２上の取付部から解除する機構は、図５ｂの解除機構に似ている。ただし、内面１４に向けて傾斜した固定フレーム４０と密閉容器６０の取付は取付ブラケット１２の片側へのアクセスを遮断するため、解除ハンドル７６が一つしかないところが異なる。曲がったハンドル６４’を用いることにより、密閉容器と固定フレームを密閉容器の縦軸に対する任意の角度から把持することを容易にしている。又、このようにして、ブラケット１２８を用いて密閉容器を傾斜させることは、必ずしも逆に固定フレームの車両内での操作の容易性に影響を及ぼすことにはならない。
【００３５】
図１４〜図１６に示すように、角のある支持ブラケット１２８がわずかに変更されて、例えば支持ブラケット１２８と変更された支持ブラケット１２８’との背合せ式で対をなす取付のように、モジュールで使用され、ハンドル７６が対応する取付ブラケット１２の側面から突出できるように変更されている。また、ブラケット１２８は両面使用可能で、ブラケット１２８を反転し、その面プレートを裏返すことによって、左手と右手のアクセスに適応することができる。
【００３６】
図１７〜図１９に示すように、取付ブラケット１２’は、平面の支持面に取り付けるためではなく、担架のフレーム部材のような管状部材に取り付けるために使われる。例えば、管状部材は図２０に示すような、従来型の担架の管フレーム１３２の一端部に取り付けられた「Ｕ」字形の担架フレーム延伸部１３０である。図１８によく示すように、取付ブラケット１２’が再び爪２２に可動的に接続されたハンドル７６を支持し、固定フレーム４０を取付ブラケット１２’との結合から解除できるようにしている。取付ブラケット１２’の裏側は、例えば取付ブラケット１２’の後ろに取付可能な一対の「Ｕ」字形結合器１３４を使うことによって、延伸部１３０のような部材上に取り付けられ、結合器と取付ブラケットとの間で延伸部１３０の長さを固定できるようにしている。従って、一例として、現存する担架フレームの先端へ取り付けられる延伸部１３０と、担架の先端に平行になるように延伸部１３０に沿って取り付けられる取付ブラケット１２’とによって、固定フレーム４０と密閉容器６０は延伸部１３０に迅速に脱着可能に取り付けられ、担架上の患者への継続的なガス供給を容易にすることができる。図１７〜図１９の例において、取付ブラケット１２’がその長手方向に沿って、ハウジング１３６の中に囲繞される。
【００３７】
以上の開示から当業者にとって明白であるように、その主旨と範囲から外れないような様々な変更および改良が本発明の実施形態において可能である。従って、本発明の範囲は、特許請求の範囲によって定義された内容に基づいて解釈される。
【図面の簡単な説明】
【図１】図１は本発明の固定、運搬及び支持装置の等角図である。
【図２】図２は展開した状態の支持脚部を備えた本発明の等角図である。
【図３】図３は取付ブラケットとラッチング機構（これらの一部がカバープレートを貫通して突き出している）に接近して配置された本発明の等角図である。
【図４】図４は取付ブラケット、ラッチング機構及びカーバープレートの分解等角図である。
【図４ａ】図４ａは本発明のラッチ爪の断面図である。
【図４ｂ】図４ｂは図４ａに示すラッチ爪の斜視図である。
【図５】図５は他のラッチ解除機構を図示する分解等角図である。
【図５ａ】図５ａは図５に示す取付ブラケットの他の実施形態の斜視図である。
【図５ｂ】図５ｂは図５ａに示す取付ブラケットの分解図である。
【図６】図６は図１に示す密閉容器固定フレームの他の実施形態の斜視図である。
【図７】図７は図６に示す密閉容器固定フレームの側面図である。
【図８】図８は図６に示す密閉容器固定フレームの正面図である。
【図９】図９は図６に示す密閉容器固定フレームの平面図である。
【図１０】図１０は図６に示す密閉容器固定フレームの分解図である。
【図１１】図１１は図５ａに示す取付ブラケットの他の実施形態を使って、角のある支持ブラケットに取り付けられる図６に示す密閉容器固定フレームである。
【図１２】図１２は図１１に示す角のある支持ブラケットに取り付けられる密閉容器固定フレームの斜視図である。
【図１３】図１３は図１１に示す角のある支持ブラケットと取付ブラケットの分解図である。
【図１４】図１４は一対の背中合わせ形（ＢＴＯＢ）の角のある支持ブラケットと、これらに対応する密閉容器固定フレーム取付ブラケットの斜視図である。
【図１５】図１５は図１４に示す背中合わせ形（ＢＴＯＢ）の角のある支持ブラケットの正面図である。
【図１６】図１６は図１５に示す角のある支持ブラケットの平面図である。
【図１７】図１７はストレッチャーフレーム部材へ取り付ける場合に適用される図１３に示す取付ブラケットの他の実施形態の斜視図である。
【図１８】図１８は図１７に示す取付ブラケットの分解図である。
【図１９】図１９は図１７に示す取付ブラケットの側面図である。
【図２０】図２０はストレッチャーフレームの一端に取り付けられるストレッチャーフレームの延伸部材である。
【図１】
2004523701.tif 000003
【図２】
2004523701.tif 000004
【図３】
2004523701.tif 000005
【図４】
2004523701.tif 000006
【図４ａ】
2004523701.tif 000007
【図４ｂ】
2004523701.tif 000008
【図５】
2004523701.tif 000009
【図５ａ】
2004523701.tif 000010
【図５ｂ】
2004523701.tif 000011
【図６】
2004523701.tif 000012
【図７】
2004523701.tif 000013
【図８】
2004523701.tif 000014
【図９】
2004523701.tif 000015
【図１０】
2004523701.tif 000016
【図１１】
2004523701.tif 000017
【図１２】
2004523701.tif 000018
【図１３】
2004523701.tif 000019
【図１４】
2004523701.tif 000020
【図１５】
2004523701.tif 000021
【図１６】
2004523701.tif 000022
【図１７】
2004523701.tif 000023
【図１８】
2004523701.tif 000024
【図１９】
2004523701.tif 000025
【図２０】
2004523701.tif 000026
【国際公開パンフレット】
2004523701.tif 000027
2004523701.tif 000028
2004523701.tif 000029
2004523701.tif 000030
2004523701.tif 000031
2004523701.tif 000032
2004523701.tif 000033
2004523701.tif 000034
2004523701.tif 000035
2004523701.tif 000036
2004523701.tif 000037
2004523701.tif 000038
2004523701.tif 000039
2004523701.tif 000040
2004523701.tif 000041
2004523701.tif 000042
2004523701.tif 000043
2004523701.tif 000044
2004523701.tif 000045
2004523701.tif 000046
2004523701.tif 000047
2004523701.tif 000048
2004523701.tif 000049
2004523701.tif 000050
2004523701.tif 000051
2004523701.tif 000052
2004523701.tif 000053
2004523701.tif 000054
2004523701.tif 000055
2004523701.tif 000056
2004523701.tif 000057
2004523701.tif 000058
2004523701.tif 000059
2004523701.tif 000060
2004523701.tif 000061
2004523701.tif 000062
2004523701.tif 000063
2004523701.tif 000064
2004523701.tif 000065
2004523701.tif 000066
2004523701.tif 000067
2004523701.tif 000068
2004523701.tif 000069
【国際調査報告】
2004523701.tif 000070
2004523701.tif 000071